(57)【要約】【課題】各種トンネル施工機械車両の移動の制限となることがない、トンネル内のズリ搬送・換気設備を提供する。【解決手段】トンネル内に設置されたトンネル掘進方向に移動可能な台車に、掘削ズリを後方に向けて搬送するベルトコンベアと、駆動設備を含む集塵装置とが一体的に設けられており、前記台車は、ベルトコンベアの長手方向の一部を一体的に支持する構成とし、前記集塵装置は、トンネル壁に対して支持されトンネル掘進方向に配置される風管の端部と連結され、風管を通る換気が前記集塵装置により集塵されるようになっている。【選択図】図１
2019039252.tif 000002
【特許請求の範囲】
【請求項１】
トンネル内に設置されたトンネル内のズリ搬送・換気設備であって、
トンネル内に設置されたトンネル掘進方向に移動可能な台車に、掘削ズリを後方に向けて搬送するベルトコンベアと、駆動設備を含む集塵装置とが一体的に設けられており、
前記台車は、ベルトコンベアの長手方向の一部を一体的に支持する構成とし、
前記集塵装置は、トンネル壁に対して支持されトンネル掘進方向に配置される風管の端部と連結され、
風管を通る換気が前記集塵装置により集塵されるようになっている、
ことを特徴とするトンネル内のズリ搬送・換気設備。
【請求項２】
前記ベルトコンベアの長手方向の一部は、切羽側から抗口側に向かって高くなる傾斜部であり、この傾斜部は設置位置が高位の高位搬送部に連なっている請求項１記載のトンネル内のズリ搬送・換気設備。
【請求項３】
前記高位搬送部の下方は、トンネル施工機械の離合空間とされている請求項２記載のトンネル内のズリ搬送・換気設備。
【請求項４】
前記傾斜部の後方位置で、作業員が作業するために昇降する階段設備が、前記台車に一体化されている請求項２又は３記載のトンネル内のズリ搬送・換気設備。
【請求項５】
前記風管は取り込み口側がトンネル天井壁に対して支持され、前記取り込み口側の終わりから前記端部に向けて下り傾斜になっている請求項１記載のトンネル内のズリ搬送・換気設備。
【発明の詳細な説明】
【技術分野】
【０００１】
本発明は、トンネル坑内におけるズリ搬送及び換気設備に関するものである。
【背景技術】
【０００２】
例えば山岳トンネルにおいて、掘削ズリを搬出する方法としては、ダンプトラックが用いられることもあるが、そのダンプトラックの排気や、粉塵発生に伴い、作業環境が悪化するなどの作業環境の改善を主たる目的として、特に長大トンネルではベルトコンベアにより抗外に搬出する例が増大している（例えば特許文献１参照）。
【０００３】
他方で、坑内の粉塵の滞留を防止するために、切羽後方に換気設備を設けることが行われている（例えば特許文献２参照）。
【先行技術文献】
【特許文献】
【０００４】
【特許文献１】特開２０１７−４８５８８号公報
【特許文献２】特開２０１５−２１２４６２号公報
【発明の概要】
【発明が解決しようとする課題】
【０００５】
しかるに、トンネル坑内においては、掘削ズリを搬出する設備、換気設備のほか、油圧ショベル、油圧ブレーカー、ドリルジャンボ、クラッシャー（台車）、吹付機、ホイルローダなどが施工段階に応じてトンネル方向に行き交う。
【０００６】
トンネル断面が大断面である場合には問題が顕在化しないが、小断面の場合には、掘削ズリを搬出する搬送コンベア、換気設備の占有断面積が、各種トンネル施工機械車両の移動の制限となる状態を招く。
【０００７】
そこで、本発明が解決しようとする主たる課題は、搬送コンベア及び換気設備が、各種トンネル施工機械車両の移動の制限となることがない、トンネル内のズリ搬送・換気設備を提供することにある。
【課題を解決するための手段】
【０００８】
上記課題を解決するための本発明のトンネル内のズリ搬送・換気設備は、
トンネル内に設置されたトンネル内のズリ搬送・換気設備であって、
トンネル内に設置されたトンネル掘進方向に移動可能な台車に、掘削ズリを後方に向けて搬送するベルトコンベアと、駆動設備を含む集塵装置とが一体的に設けられており、
前記台車は、ベルトコンベアの長手方向の一部を一体的に支持する構成とし、
前記集塵装置は、トンネル壁に対して支持されトンネル掘進方向に配置される風管の端部と連結され、
風管を通る換気が前記集塵装置により集塵されるようになっている、
ことを特徴とするものである。
【０００９】
換気設備における駆動設備を含む集塵装置のサイズは、近年、必要な換気量を確保するために大型化する傾向にあり、その設置スペースは、各種トンネル施工機械車両の移動の制限要素となる場合がある。特に、小断面トンネルでは問題が顕在化する。
しかるに、抗外に連続的にズリ搬送を行うために連続ベルトコンベアシステムを採用する場合、連続ベルトコンベアの設置スペースも確保する必要がある。
トンネルの掘進段階に応じて、ベルトコンベア及び換気設備を前方に移動させる必要がある。
本発明に従って、トンネル掘進方向に移動可能な台車に、掘削ズリを後方に向けた搬送するベルトコンベアと、駆動設備を含む集塵装置とを一体的に設けると、トンネルの掘進段階に応じて、切羽側に延伸するのに容易である。また、ベルトコンベアと、駆動設備を含む集塵装置との設置スペースとして、個別の設置の場合と比較して、小さくできる。
【００１０】
台車によるベルトコンベアの支持領域は、切羽側から抗口側に向かって高くなる傾斜部とすることができ、この傾斜部は設置位置が高位の高位搬送部に連なっている構成とすることができる。
【００１１】
前記の高位搬送部の下方の空間を、トンネル施工機械車両の離合空間とすることができる。すなわち、高位搬送部の下方の空間に、当該施工段階では不要なトンネル施工機械車両の待避空間とし、当該施工段階で必要なトンネル施工機械車両を後方から切羽側に送り込むことができる。また、次の施工段階では、先に切羽側に送り込んだトンネル施工機械車両を抗口側に退避させ、換わりに空間に待避していたトンネル施工機械車両を切羽側に送り込むことができる。
【００１２】
他方で、掘削ズリはショベルにより集め、必要により設けられるクラッシャーで細かくし、ベルトコンベアで搬送する。したがって、ベルトコンベアの前端部は、切羽側から抗口側に向かって高くなる傾斜部とし、これを高位搬送部につなげる構成とするのが望ましい。かかる形態において、当該傾斜部を台車により支持する構成が好適である。
【００１３】
傾斜部の後方位置において、作業員が作業するために昇降する階段設備が、台車に一体化されているのが望ましい。掘削ズリが傾斜部から高位搬送部に渡って安定して搬送されているかなどの点検作業を行うのが望ましいところ、階段設備を設置することで円滑な点検作業などを行うことができる。
【００１４】
舞い上がった粉塵をも集塵するために、あるいは、掘削ジャンボ、吹付機などのスペース確保などのために、風管はその取り込み口が天井近くに位置させるのが望ましい。そこで風管は一般的にトンネル天井壁に対して支持される構成が採られている。他方、駆動設備を含む集塵装置を高位に設置するのは安定性に欠ける。そこで、粉塵取り込み口側の終わりから集塵装置との連結端部に向けて下り傾斜になっている構成とすることができる。
【発明の効果】
【００１５】
本発明によると、搬送コンベア及び換気設備が、各種トンネル施工機械車両の移動の制限となることがないものとなり、その結果、トンネル施工を円滑に行うことができる。
【図面の簡単な説明】
【００１６】
【図１】本発明の実施の形態の概要図である。
【図２】概要平面図である。
【図３】実施の形態の正面図である。
【図４】実施の形態の平面図である。
【図５】実施の形態の側面図である。
【図６】横断面図である。
【図７】施工例の概要図である。
【図８】コンベアベルト下での機械設備の配置例である。
【図９】機械設備の配置例の従来例（ａ）と本発明例（ｂ）との対比説明平面図である。
【発明を実施するための形態】
【００１７】
次に、本発明を実施するための形態を説明する。なお、本実施の形態は、本発明の一例である。
【００１８】
図１は、本発明に係るズリ搬送・換気設備の実施形態の概要図であり、図２はその平面図である。
【００１９】
上記課題を解決するための本発明のトンネル内のズリ搬送・換気設備は、トンネル内に設置されたトンネル掘進方向に移動可能な台車１に、掘削ズリを後方に向けた搬送するベルトコンベア１０と、駆動設備（電源及びファンを有する）を含む集塵装置２０とが一体的に設けられているものである。台車１は迅速移動のために例えばエンジン駆動による自走式であるのが望ましい。
トンネルの換気のための集塵装置２０は風管３０の端部と連結されている。
【００２０】
ここで、予め粉塵の集塵形態について説明しておく。トンネル等の坑内において発生する粉塵の集塵方法としては、例えば、希釈封じ込め方式である送気集塵方式や排気集塵方式と、吸引捕集方式とに大別することがきる。前者の希釈封じ込め方式は切羽に向けてエアを送気（排気）し、粉塵を希釈する方式であり、希釈効果を高めるために、エアの送気口を切羽からトンネル等価直径の５倍程度離す必要がある。他方、後者の吸引捕集方式はそのような制約がなく、逆に、吸引口を切羽に近付けて集塵効果を高める必要がある。
【００２１】
トンネル工事においては、粉塵が切羽直下において主に発生するため、後者の吸引捕集方式が効率的であるとされている。もっとも、切羽直下においては、地盤の削孔や、装薬、発破、ズリ出し、コンクリート吹付け等の各種作業が行われる。したがって、これらの作業の妨げとならないよう、吸引口を切羽に近付けたり、遠ざけたりすることができる伸縮ダクトを使用した集塵システムを利用するのが好適である。
【００２２】
かかる背景の下で、図示の実施の形態における風管３０は、好ましくは長手方向の少なくとも一部に伸縮部、例えば蛇腹状の伸縮部３０ａを有している。
【００２３】
風管３０は、トンネルＴ壁、好ましくは重機類の移動の妨げにならないようにトンネルＴの天壁の片側位置にトンネル掘進方向に配置され、トンネルＴ壁に吊持された例えば吊持材３０Ａによりガイドレール３０Ｂが支持され、このガイドレール３０Ｂに沿って移動可能となっている。
【００２４】
伸縮部３０ａを伸縮して先端の取り込み用開口３０ｂを前後に移動する移動機構としては、例えば、ガイドレール３０Ｂをラックとして当該ラック上を歯車たるピニオンが転がるラック・アンド・ピニオン方式やガイドレール３０Ｂをガータとして当該ガータ上を車輪が転がるクレーン用トロリ方式等を採用できる。
【００２５】
一方、台車１は、掘削ズリを後方に向けて搬送するベルトコンベア１０の長手方向の一部を一体的に支持する構成としてある。具体的には、ベルトコンベア１０は、コンベアベルト１０Ａとこれを支持する支持ローラ１０Ｂ群と支持ローラ１０Ｂの所要数の架台１０Ｃを有し、架台１０Ｃが台車１に一体化されている。
ベルトコンベア１０は、掘削ズリを後方に向けて搬送するもので、その長さは抗口外に至る長さであるほか、複数の単位ベルトコンベアを連結して、抗口外に至るようにしたもののほか、抗口までには至らないで、その終点からはダンプトラック又は別種のコンベアなどにより抗口外に搬出するものでもよい。
【００２６】
換気設備における駆動設備を含む集塵装置のサイズは、近年、必要な換気量を確保するために大型化する傾向にあり、その設置スペースは、各種トンネル施工機械車両の移動の制限要素となる場合がある。特に、小断面トンネルでは問題が顕在化する。
しかるに、抗外に連続的にズリ搬送を行うために、連続ベルトコンベアシステム（古くから特開２００１−２０６８０に代表されるように改良が加えられてきている）を採用する場合、連続ベルトコンベアの設置スペースも確保する必要がある。
トンネルの掘進段階に応じて、ベルトコンベア１０及び換気設備（集塵装置２０及び風管３０）を前方に移動・延伸させる必要がある。
【００２７】
本発明に従って、トンネル掘進方向に移動可能な台車１に、掘削ズリを後方に向けた搬送するベルトコンベア１０と、駆動設備を含む集塵装置２０とを一体的に設けると、トンネルの掘進段階に応じて、切羽側に延伸するのに容易である。また、ベルトコンベア１０と、駆動設備を含む集塵装置２０との設置スペースとして、個別の設置の場合と比較して、小さくできる。
【００２８】
台車１によるベルトコンベア１０の支持領域は、切羽側から抗口側に向かって高くなる傾斜部ＩＣとすることができ、この傾斜部は連続ベルトコンベアシステムにおける設置位置が高位の高位搬送部Ｈｏに連なっている構成とすることができる。
【００２９】
前記の高位搬送部Ｈｏの下方の空間を、トンネル施工機械車両の離合空間とすることができる。すなわち、高位搬送部Ｈｏの下方の空間に、当該施工段階では不要なトンネル施工機械車両の待避空間とし、当該施工段階で必要なトンネル施工機械車両を後方から切羽側に送り込むことができる。また、次の施工段階では、先に切羽側に送り込んだトンネル施工機械車両を抗口側に退避させ、換わりに空間に待避していたトンネル施工機械車両を切羽側に送り込むことができる。
【００３０】
他方で、掘削ズリは例えばホイルローダ４０により集め、クラッシャー４１（図７においては自走式のクラッシャーを図示してある）で細かくし、必要により設けられるテールピース台車４５を介して、ベルトコンベア１０で搬送する。したがって、ベルトコンベア１０の前端部は、切羽側から抗口側に向かって高くなる傾斜部ＩＣとし、これを高位搬送部Ｈｏにつなげる構成とするのが望ましい。かかる形態において、当該傾斜部ＩＣを台車１により支持する構成が好適である。
【００３１】
傾斜部ＩＣの後方位置において、作業員が作業するために昇降する階段設備２が、台車１に一体化されているのが望ましい。掘削ズリが傾斜部ＩＣから高位搬送部Ｈｏに渡って安定して搬送されているかなどの点検作業を行うのが望ましいところ、階段設備２を設置することで円滑な点検作業などを行うことができる。
【００３２】
舞い上がった粉塵をも集塵するために、あるいは、掘削ジャンボ４２（図８では退避状態を示している）、吹付機４６などのスペース確保などのために、風管３０はその取り込み用開口３０ｂが天井近くに位置させるのが望ましい。そこで風管３０はトンネルＴ天井壁に対して支持される構成とされている。他方、駆動設備を含む集塵装置２０を高位に設置するのは安定性に欠ける。そこで、風管３０の後部３０ｃは、集塵装置２０との連結端部に向けて下り傾斜になっている構成とすることができる。
【００３３】
図７には発破後に掘削ズリを搬出する形態を示している。図８では、次の切羽の発破までの間に各種重機が抗口側に退避している状態を示している。符号４３はショベル、４４はトラックである。
【００３４】
ここで、本発明の実施の形態によってその利点を具体的に説明する。従来例では、例えば図９（ａ）に示すように、掘削ジャンボ４２、吹付機４６を切羽（図面の右側壁である。）から退避させ、その後方に連続ベルトコンベア装置Ｑ（例えばクラッシャー４１及びテールピース台車４５を含む）、集塵機２０Ａ、油圧式ショベル４７、４７、ホイルローダ４０等を配置していた。この場合、連続ベルトコンベア装置Ｑのコンベアベルトｑが低位を走るので、これを避けて、集塵機２０Ａ、油圧式ショベル４７、ホイルローダ４０等を、トンネル中心ＣＬを越えてはみ出すように配置せざるを得なかった。
これに対し、本発明例では、連続ベルトコンベア装置Ｑを切羽の近くに設置し、掘削ズリを抗口へと搬送できる。また、コンベアベルトｑは高位に位置させて搬送するので、その下方に空間を最大限利用でき、コンベアベルトｑ下方に、掘削ジャンボ４２、吹付機４６、油圧式ショベル４７、４７、ホイルローダ４０等を、トンネル中心ＣＬより片側に配置できる。
その結果、連続ベルトコンベア装置Ｑを切羽の近くに設置できることは積み込み箇所が切羽近くになり、積み込み作業時間の短縮となる。また、掘削ジャンボ４２、吹付機４６、油圧式ショベル４７、４７、ホイルローダ４０等を、トンネル中心ＣＬより片側に配置できる結果、他の片側を利用して機械の離合を行うことができる。
なお、集塵装置２０もトンネル中心ＣＬより片側に配置できるので、換気方式として吸引方式が可能となる利点もある。
【符号の説明】
【００３５】
１…台車、２…階段設備、１０…ベルトコンベア、２０…集塵装置、３０…風管、ＩＣ…傾斜部、Ｈｏ…高位搬送部
【図１】
2019039252.tif 000003
【図２】
2019039252.tif 000004
【図３】
2019039252.tif 000005
【図４】
2019039252.tif 000006
【図５】
2019039252.tif 000007
【図６】
2019039252.tif 000008
【図７】
2019039252.tif 000009
【図８】
2019039252.tif 000010
【図９】
2019039252.tif 000011